(57)【要約】【課題】カーテシアンループ方式の負帰還リニアライザ構成の送信機において、送信機の出力電力を一定に保ち、出力電力に異常が発生しているかの判定を容易に行うことが可能な送信機を提供する。【解決手段】送信機の規定出力状態における電力検波器２３の検波電圧であるＡＰＣ基準値を取得し、送信機１００の規定出力と乗算係数テーブル７の下限状態に対応する乗算係数の乗算値である出力電力下限の閾値から電力検波器２３の出力下限閾値を取得し、送信機１００の規定出力と乗算係数テーブル７の上限状態に対応する乗算係数の乗算値である出力電力上限の閾値から電力検波器２３の出力上限閾値を取得し、取得したＡＰＣ基準値、出力下限閾値、及び出力上限閾値をメモリ９に予め記憶させておき、制御部８はＡＰＣ基準値に基づいて可変減衰器２２を制御することで送信機１００の出力電力を一定に保ち、出力上限閾値と出力下限閾値により出力電力の異常を判定する。【選択図】図１
2011077978.tif 000002
【特許請求の範囲】
【請求項１】
カーテシアンループ方式の負帰還リニアライザ構成の送信機であって、
前記送信機の電力検波器のＡＰＣ基準値、出力下限閾値、及び出力上限閾値を取得し記憶する手段と、
前記ＡＰＣ基準値に基づき前記送信機の可変減衰器の減衰量を調整する手段と、
前記出力下限閾値に出力電力下限の閾値を設定する手段と、
前記出力上限閾値に出力電力上限の閾値を設定する手段と、
を備えたことを特徴とする送信機。
【発明の詳細な説明】
【技術分野】
【０００１】
本発明は、出力電力を一定に保つ機能（以下、ＡＰＣ機能：Automatic Power Controlという）を備えたデジタル無線機であるカーテシアンループ方式の負帰還リニアライザ構成の送信機に関するものである。
【背景技術】
【０００２】
カーテシアンループ方式の負帰還リニアライザ構成の送信機において、送信機の出力電力の低下や増大といった異常の発生を判定し出力電力を一定に保つためには、送信機の電力検波器の個体差により発生するばらつきの調整が必要であった。
【０００３】
以下、従来の実施の形態について図面を参照して説明する。
【０００４】
図４に、従来の実施の形態に係るカーテシアンループ方式の負帰還リニアライザ構成である送信機の機能ブロック図を示す。従来の実施の形態である送信機２００は、図４に示すようにマッピング部１、ルートロールオフフィルタ２（以下、フィルタ２という）、Ｄ／Ａ変換器（Ｄ／Ａ）５、Ｄ／Ａ変換器（Ｄ／Ａ）６、制御部（ＣＯＮＴ）８、Ｄ／Ａ変換器（Ｄ／Ａ）１０、Ａ／Ｄ変換器（Ａ／Ｄ）１１、加算器１２、加算器１３、直交変調器（ＭＯＤ）１４、可変減衰器（ＡＴＴ）１５、電力増幅器１６、方向性結合器１７、アンテナ１８、周波数シンセサイザ（ＳＹＮ）１９、移相器２０、直交復調器（ＤＥＭＯＤ）２１、可変減衰器（ＡＴＴ）２２、電力検波部（ＤＥＴ）２３、加算器２４、検波値調整部（ＡＤＪ）２５、乗算器２６、及び傾き調整部（ＡＤＪ）２７から構成されている。また、マッピング部１、フィルタ２、及び制御部８は、ＤＳＰ（Ｄｉｇｉｔａｌ Ｓｉｇｎａｌ Ｐｒｏｃｅｓｓｏｒ）５０に含まれ、更にＤＳＰ５０、Ｄ／Ａ変換器５、Ｄ／Ａ変換器６、Ｄ／Ａ変換器１０、及びＡ／Ｄ変換器１１は、ベースバンド部（ＢＢ）６０に含まれる。このような構成の送信機２００において、方向性結合器１７を設け、方向性結合器１７を可変減衰器（ＡＴＴ）２２と電力検波部（ＤＥＴ）２３に接続することでカーテシアンループ方式の負帰還リニアライザ構成を実現している。
【０００５】
次に、図４に示すカーテシアンループ方式を使用した送信機２００における各機能の処理について説明する。
【０００６】
まず、図４に示すマッピング部１からアンテナ１８までの信号ルートの各機能について説明する。マッピング部１は、送信機２００が送信するベースバンド信号（以下、送信信号という）のマッピングを行い、マッピングされた同相信号（以下、Ｉ信号という）と直交信号（以下、Ｑ信号という）をフィルタ２に出力する。フィルタ２は、マッピング部１からＩ信号とＱ信号を入力すると帯域制限を行い、帯域制限されたＩ信号をＤ／Ａ変換器５に出力し、帯域制限されたＱ信号をＤ／Ａ変換器６に出力する。Ｄ／Ａ変換器５は、フィルタ２からＩ信号を入力すると、デジタル信号であるＩ信号をアナログ信号に変換し、加算器１２に出力する。Ｄ／Ａ変換器６は、フィルタ２からＱ信号を入力すると、デジタル信号であるＱ信号をアナログ信号に変換し、加算器１３に出力する。加算器１２は、Ｄ／Ａ変換器５から入力したＩ信号と、後述する直交復調器２１から出力される信号であるＩ信号とを加算し、直交変調器１４に出力する。加算器１３は、Ｄ／Ａ変換器６から入力したＱ信号と、後述する直交復調器２１から出力される信号であるＱ信号とを加算し、直交変調器１４に出力する。直交変調器１４は、加算器１２からＩ信号を入力、加算器１３からＱ信号を入力、及び周波数シンセサイザ１９から局部発信信号（以下、ＬＯ信号という）を入力すると、Ｉ信号とＱ信号をＬＯ信号によって変調し、変調された信号(以下、被変調波信号という)を可変減衰器１５に出力する。可変減衰器１５は、直交変調器１４から被変調波信号を入力すると、被変調波信号を適正な値となるようにレベル調整を行い、レベル調整された被変調波信号（以下、レベル調整信号という）を電力増幅器１６に出力する。電力増幅器１６は、レベル調整信号を入力すると、規定の出力レベルまで増幅を行い、増幅されたレベル調整信号（以下、出力信号という）を方向性結合器１７を経由してアンテナ１８に出力する。
【０００７】
次に、送信機２００におけるカーテシアンループ方式の負帰還リニアライザ構成における各機能の処理について説明する。方向性結合器１７は、可変減衰器２２と電力検波器２３に出力信号を帰還させるために、電力増幅器１６の出力信号の一部（以下、帰還信号という）を可変減衰器２２と電力検波器２３に出力する。
【０００８】
まず、図４に示す電力検波器２３から制御部８を経由して可変減衰器２２までの信号ルートの各機能について、図５を用いて説明する。図５は、従来の実施形態に係る電力検波器２３が出力電力から出力電圧に変換するときの出力電力と出力電圧の関係を示す変換特性図である。変換特性ｉは電力検波器２３の変換特性であり、電力検波器の個体差により特性にばらつきがある。変換特性ｊは目標とする規定の変換特性である。
【０００９】
電力検波器２３は、方向性結合器１７から帰還信号を入力すると、電力検波器２３の変換特性ｉにしたがって電力信号を検波電圧ｋに変換し、乗算器２６に出力する。乗算器２６は、電力検波器２３から検波電圧ｋを入力すると、電力検波器２３の変換特性ｉの傾き（以下、傾きという）のばらつきを調整するため、傾き調整部２７から出力される傾き調整値との乗算を行い、変換特性ｉの傾きを調整する。そして乗算器２６は、傾きが調整された変換特性に従う検波電圧ｋを、加算器２４に出力する。加算器２４は、乗算器２６から検波電圧ｋを入力すると、電力検波器２３の規定出力状態における検波電圧ｋのばらつきを吸収するため、検波値調整部２５から出力される調整値との加算を行い、調整した検波電圧ｌを取得する。そして加算器２４は、乗算器２６で傾きを調整した規定の変換特性ｊに従い検波電圧ｌをＡ／Ｄ変換器１１に出力する。このように２つの調整を行うことで、図４に示すＡ点において、電力検波器２３の規定の変換特性ｊと規定出力状態における検波電圧ｌに調整される。Ａ／Ｄ変換器１１は、加算器２４から規定の変換特性ｊに従う規定出力状態における検波電圧ｌを入力すると、検波電圧ｌをデジタル信号に変換し、制御部８に出力する。制御部８は、Ａ／Ｄ変換器１１から変換特性ｊに従う検波電圧ｌを入力すると、この変換特性ｊと検波電圧ｌに基づいて出力下限閾値ｍと出力上限閾値ｎを生成する。制御部８は、この出力下限閾値ｍと出力上限閾値ｎによって、送信機２００の出力電力に障害が発生しているかを判定する。また、制御部８は、検波電圧ｌに基づいて可変減衰器２２の制御信号を生成し、生成した制御信号をＤ／Ａ変換器１０に出力する。Ｄ／Ａ変換器１０は、制御部８から可変減衰器２２の制御信号を入力するとアナログ信号に変換し、可変減衰器２２に出力する。
【００１０】
次に、図４に示す可変減衰器２２から加算器１２と加算器１３までの信号ルートの各機能について説明する。可変減衰器２２は、方向性結合器１７から帰還信号を入力し、またＤ／Ａ変換器１０からアナログ信号である可変減衰器２２の制御信号を入力すると、可変減衰器２２の減衰量の調整を行い、直交復調器２１に出力する。このように可変減衰器２２の減衰量の調整を行うことで、送信機２００の出力電力を一定にするＡＰＣ機能を実現している。直交復調器２１は、可変減衰器２２から調整された帰還信号を入力し、また周波数シンセサイザ１９から移相器２０を経由してＬＯ信号を移相したＬＯ'信号を入力すると、レベル調整された帰還信号をＬＯ'信号によってＩ信号とＱ信号に復調する。そして直交復調器２１は、復調したＩ信号を加算器１２に出力し、復調したＱ信号を加算器１３に出力する。移相器２０は、位相調整を行う機器で、加算器１２がＤ／Ａ変換器５から入力するＩ信号と加算器１３がＤ／Ａ変換器６から入力するＱ信号に対して、直交復調器２１が出力する帰還信号のＩ信号とＱ信号の位相を逆位相にするための機器である。このように、移相器２０によって帰還信号を逆位相とすることで、カーテシアンループ方式の負帰還において系を安定させることができる。
【００１１】
以上のように、送信機２００は、方向性結合器１７で出力信号の一部を帰還信号として可変減衰器２２に帰還させ、可変減衰器２２が帰還信号を調整し、直交復調器２１により調整した帰還信号のＩ信号とＱ信号が取出される。そして送信信号のＩ信号から帰還信号のＩ信号が加算器１２により減算され、また送信信号のＱ信号から帰還信号のＱ信号が加算器１３により減算されることによって負帰還が行われる。このようなカーテシアンループ方式の負帰還リニアライザ構成においては、帰還信号のＩ信号とＱ信号を調整することで、送信機２００の出力電力を一定としている。つまり出力電力を一定とするためには、可変減衰器２２の調整が必要であり、また可変減衰器２２の調整は加算器２４が出力する検波電圧ｌに基づいて行われる。また、送信機２００の出力電力の低下や増大といった異常の発生を判定するために出力下限閾値mと出力上限閾値nの設定が行われる。このような検波電圧ｌ、出力下限閾値m、及び出力上限閾値nを設定するためには、電力検波器２３の出力電力から出力電圧への変換するときの変換特性の傾きのばらつきと、規定出力状態における電力検波器の検波電圧のばらつきの調整を行う必要があった。
【先行技術文献】
【特許文献】
【００１２】
尚、カーテシアンループ方式の負帰還リニアライザ構成である送信機に関する技術としては、下記がある。下記は、信号のレベル調整を行う可変減衰器と帰還信号のレベル調整を行う可変減衰器の設定を制御することで、所定の周波数帯域における雑音の増大を低減する技術が記載されている。
【特許文献１】特開２００８−２３６６４１
【発明の概要】
【発明が解決しようとする課題】
【００１３】
従来のカーテシアンループ方式の負帰還リニアライザ構成の送信機２００において、ＡＰＣ機能を実施するためには、電力検波器２３の個体差による変換特性の傾きのばらつきと、送信機の規定出力状態における検波電圧のばらつきの調整を行う必要がある。このため、これらの調整を行うための機器やこれらの機器による調整処理が必要であった。
【００１４】
本発明はこのような状況に鑑みてなされたものであり、上記問題点を解決できる送信機を提供することを目的とする。
【課題を解決するための手段】
【００１５】
発明の送信機は、カーテシアンループ方式の負帰還リニアライザ構成の送信機であって、前記送信機の電力検波器のＡＰＣ基準値、出力下限閾値、及び出力上限閾値を取得し記憶する手段と、前記ＡＰＣ基準値に基づき前記送信機の可変減衰器の減衰量を調整する手段と、前記出力下限閾値に出力電力下限の閾値を設定する手段と、前記出力上限閾値に出力電力上限の閾値を設定する手段と、を備えたことを特徴としている。
【発明の効果】
【００１６】
本発明の送信機は、個々の送信機の電力検波器の規定出力に対応する検波電圧（ＡＰＣ基準値）、出力上限閾値、及び出力下限閾値を予めメモリに記憶させておくことで、従来の電力検波器の個体差による変換特性の傾きのばらつきと、送信機の規定出力状態における検波電圧のばらつきの調整が不要となるので、これらの調整を行う機器にかかる費用や、またこれらの機器による調整処理の時間を削減することができる。
【図面の簡単な説明】
【００１７】
【図１】本発明の実施形態に係るカーテシアンループ方式の負帰還リニアライザ構成である送信機の機能ブロック図である。
【図２】本発明の実施形態に係る出力状態に対応した乗算係数が設定されている乗算係数テーブルの構成図である。
【図３】本発明の実施形態に係る電力検波器が出力電力から出力電圧への変換するときの出力電力と出力電圧の関係を示す変換特性図である。
【図４】従来の実施の形態に係るカーテシアンループ方式の負帰還リニアライザ構成である送信機の機能ブロック図である。
【図５】従来の実施形態に係る電力検波器が出力電力から出力電圧への変換するときの出力電力と出力電圧の関係を示す変換特性図である。
【発明を実施するための形態】
【００１８】
以下、本発明の実施の形態について図面を参照して説明する。
【００１９】
本発明の実施の形態である送信機１００について説明する。図１に本発明の実施形態に係るカーテシアンループ方式の負帰還リニアライザ構成である送信機１００の機能ブロック図を示す。本発明の実施の形態である送信機１００は、図１に示すようにマッピング部１、ルートロールオフフィルタ２（以下、フィルタ２という）、乗算器３、乗算器４、Ｄ／Ａ変換器（Ｄ／Ａ）５、Ｄ／Ａ変換器（Ｄ／Ａ）６、乗算係数テーブル７、制御部（ＣＯＮＴ）８、メモリ（ＭＥＭＯＲＹ）９、Ｄ／Ａ変換器（Ｄ／Ａ）１０、Ａ／Ｄ変換器（Ａ／Ｄ）１１、加算器１２、加算器１３、直交変調器（ＭＯＤ）１４、可変減衰器（ＡＴＴ）１５、電力増幅器１６、方向性結合器１７、アンテナ１８、周波数シンセサイザ（ＳＹＮ）１９、移相器２０、直交復調器（ＤＥＭＯＤ）２１、可変減衰器（ＡＴＴ）２２、及び電力検波部（ＤＥＴ）２３から構成されている。また、マッピング部１、フィルタ２、乗算器３、乗算器４、乗算係数テーブル７、及び制御部（ＣＯＮＴ）８は、ＤＳＰ（Ｄｉｇｉｔａｌ Ｓｉｇｎａｌ Ｐｒｏｃｅｓｓｏｒ）３０に含まれ、更にＤＳＰ３０、Ｄ／Ａ変換器５、Ｄ／Ａ変換器６、Ｄ／Ａ変換器１０、Ａ／Ｄ変換器１１、及びメモリ（ＭＥＭＯＲＹ）９は、ベースバンド部（ＢＢ）４０に含まれる。このような構成の送信機１００において、方向性結合器１７を設け、方向性結合器１７を可変減衰器（ＡＴＴ）２２と電力検波部（ＤＥＴ）２３に接続することでカーテシアンループ方式の負帰還リニアライザ構成を実現している。
【００２０】
本実施の形態の送信機１００の機能ブロック図と従来の送信機２００の機能ブロック図とを比較すると、本実施の形態の送信機１００においては、従来の送信機２００の加算器２４、検波値調整部２５、乗算器２６、及び傾き調整部２７は削除され、乗算器３、乗算器４、乗算係数テーブル７、メモリ９を新たに追加している。以下、新たに追加した乗算器３、乗算器４、乗算係数テーブル７、及びメモリ９の信号ルートの各機能と、本実施の形態の制御部８の処理について説明する。これ以外の機能については、従来の送信機２００の処理に同じである。メモリ９は不揮発性メモリであり、ＡＰＣ基準値、出力下限閾値、及び出力上限閾値を送信機１００の調整時に記憶させる。ＡＰＣ基準値、出力下限閾値、及び出力上限閾値の取得する手順については、後述する。乗算係数テーブル７は、メモリ９に記憶されているテーブルで、乗算器３と乗算器４が乗算する係数が設定されているテーブルである。乗算係数テーブル７の構成とデータ設定手順については、後述する。制御部８は、メモリ９から読み込んだ出力下限閾値と出力上限閾値に基づいて、送信機１００の出力電力に障害が発生しているかを判定するとともに、制御部８は、メモリ９から読み込んだＡＰＣ基準値に基づいて可変減衰器２２の制御信号を生成し、生成した制御信号をＤ／Ａ変換器１０に出力する。また、制御部８は、乗算係数テーブル７から出力状態に対応する乗算係数を取り出し、乗算器３と乗算器４に出力する。乗算器３は、フィルタ２からＩ信号を入力すると、乗算係数とＩ信号とを乗算しＤ／Ａ変換器５に出力する。乗算器４は、フィルタ２からＱ信号を入力すると、乗算係数とＱ信号とを乗算しＤ／Ａ変換器６に出力する。
【００２１】
次に、送信機１００における乗算係数テーブル７の構成とデータ設定手順について、図２を用いて説明する。図２は、本発明の実施形態に係る出力状態に対応した乗算器３と乗算器４の乗算係数が設定されている乗算係数テーブル７の構成図である。図２に示す乗算係数テーブル７には「出力状態」と「乗算係数」の項目が設けられ、「出力状態」には「通常状態」、「下限状態」、及び「上限状態」が設定されている。「通常状態」においては、「乗算係数」には「１」が設定される。この設定により、乗算器３と乗算器４は入力する送信信号に対して「１」を乗算するので、ＤＳＰ３０において送信信号の変更は行われない。送信機１００を通常稼働させるときにはこの「通常状態」が選択される。
「下限状態」は、後述する図３に示す「出力電力下限の閾値ｅ」を取得するときに、送信機１００が選択する状態である。例えば、「出力電力下限の閾値ｅ」が「規定出力−３ｄＢ」で、「規定出力ｃ」に対する「規定出力−３ｄＢ」が０．５倍（−５０％）であれば、「０．５」の平方根である「√0.5」が「下限状態」に対応する「乗算係数」に設定される。この設定により、乗算器３と乗算器４は入力する送信信号に対して「√0.5」を乗算するので、ＤＳＰ３０において送信信号は下限値に変更される。
「上限状態」は、後述する図３に示す「出力電力上限の閾値ｇ」を取得するときに、送信機１００が選択する状態である。例えば、「出力電力上限の閾値ｇ」が「規定出力＋０．８ｄＢ」で、「規定出力ｃ」に対する「規定出力＋０．８ｄＢ」が１．２倍（＋２０％）であれば、「１．２」の平方根である「√1.2」が「上限状態」に対応する「乗算係数」に設定される。この設定により、乗算器３と乗算器４は入力する送信信号に対して「√1.2」を乗算するので、ＤＳＰ３０において送信信号は上限値に変更される。
【００２２】
次に、送信機１００における電力検波器２３の検波電圧に対する出力下限閾値と出力上限閾値を取得する処理手順について、図２と図３を用いて以下順番に説明する。図３は、本発明の実施形態に係る電力検波器が出力電力から出力電圧に変換するときの出力電力と出力電圧の関係を示す変換特性図である。図３には、電力検波器ａの変換特性ａと電力検波器ｂの変換特性ｂが示されている。このように電力検波器の個体差によって特性にばらつきがあるときは、電力検波器２３の特性に対応した変換特性を取得する。以下、電力検波器２３の変換特性が変換特性ａであるときのＡＰＣ基準値、出力下限閾値、及び出力上限閾値を取得する手順について説明する。電力検波器２３の変換特性が変換特性ｂであるときでも同様の処理手順で、ＡＰＣ基準値、出力下限閾値、及び出力上限閾値を取得することができる。
（１） まず、可変減衰器２２の減衰量を調整し、送信機１００の出力電力を最適な値に合わせた状態において、電力検波器２３は出力電力である「規定出力ｃ」を入力し、この「規定出力ｃ」に対応する電圧値を「基準電圧ｄ」（以下、「ＡＰＣ基準値ｄ」という）を出力する。このとき、送信機１００のＡＰＣ機能は動作させた状態である。
（２） 次に、送信機１００のＡＰＣ機能を停止させ、図２に示す乗算係数テーブル７の「出力状態」において「下限状態」を選択する。「下限状態」に対応する「乗算係数」には「√0.5」が設定されているため、乗算器３と乗算器４は入力する送信信号に対して「√0.5」を乗算する。この結果、ＤＳＰ３０の出力値が「出力電力下限の閾値ｅ」となる。
（３） 次に、電力検波器２３は変換特性が変換特性ａである「出力電力下限の閾値ｅ」が入力されると「出力下限閾値ｆ」を出力する。
（４） 次に、送信機１００のＡＰＣ機能を停止させた状態で、図２に示す乗算係数テーブル７の「出力状態」において「上限状態」を選択する。「上限状態」に対応する「乗算係数」には「√1.2」が設定されているため、乗算器３と乗算器４は入力する送信信号に対して「√1.2」を乗算する。この結果、ＤＳＰ３０の出力値が「出力電力上限の閾値ｇ」となる。
（５） 次に、電力検波器２３は変換特性が変換特性ａである「出力電力上限の閾値ｇ」が入力されると「出力上限閾値ｈ」を出力する。
【００２３】
以上のような本実施の形態の送信機１００において、個々の送信機１００の規定出力状態における電力検波器のＡＰＣ基準値、出力下限閾値、及び出力上限閾値を上記のように取得してメモリ９に記憶させておき、ＡＰＣ基準値に基づいて可変減衰器２２の減衰量の調整を行うことで送信機１００の出力電力を一定に保ち、また出力下限閾値と出力上限閾値により送信機１００の出力電力の低下や増大といった異常の発生を判定する。
【００２４】
以上の本実施の形態によれば、本発明のカーテシアンループ方式の負帰還リニアライザ構成の送信機１００において、個々の送信機１００の出力電力を一定に保ち、出力電力の低下や増大といった異常が発生しているかの判定を容易に行うことが可能となる。また、本実施の形態によれば、電力検波２３が変換特性ａ、変換特性ｂのようにばらついていても、メモリ９に記憶したＡＰＣ基準値、出力下限閾値、及び出力上限閾値を基に、等価的に図３に示した規定の特性ａを制御部８で求めることができるので、従来のような加算器２４、検波値調整部２５、乗算器２６、及び傾き調整部２７でのめんどうな調整処理が不要となる。
【００２５】
以上の実施態様の特徴をまとめると次のようになる。
（１） 発明の送信機は、カーテシアンループ方式の負帰還リニアライザ構成の送信機であって、前記送信機の電力検波器のＡＰＣ基準値、出力下限閾値、及び出力上限閾値を取得し記憶する手段と、前記ＡＰＣ基準値に基づき前記送信機の可変減衰器の減衰量を調整する手段と、前記出力下限閾値に出力電力下限の閾値を設定する手段と、前記出力上限閾値に出力電力上限の閾値を設定する手段と、を備えたことを特徴としている。
（２） （１）の送信機は、前記送信機の出力状態に対応した乗算係数が設定されている乗算係数テーブルを記憶する手段を備えていることを特徴としている。
（３） （２）の送信機の前記乗算係数テーブルの前記出力状態は、通常状態、下限状態、及び上限状態あることを特徴としている。
（４） （３）の送信機の前記出力電力下限の閾値は、前記送信機の規定出力と前記下限状態に対応した前記乗算係数を乗算して取得することを特徴としている。
（５） （３）の送信機の前記出力電力上限の閾値は、前記送信機の規定出力と前記上限状態に対応した前記乗算係数を乗算して取得することを特徴としている。
（６） 本発明の送信機の出力電力の制御方法は、カーテシアンループ方式の負帰還リニアライザ構成の送信機であって、前記送信機の電力検波器のＡＰＣ基準値、出力下限閾値、及び出力上限閾値を取得し記憶する工程と、前記ＡＰＣ基準値に基づき前記送信機の可変減衰器の減衰量を調整する工程と、前記出力下限閾値に出力電力下限の閾値を設定する工程と、前記出力上限閾値に出力電力上限の閾値を設定する工程と、を備えたことを特徴としている。
【産業上の利用可能性】
【００２６】
本発明は、送信機に好適であるが、電力検波器を使用する装置に広く適用可能である。
【符号の説明】
【００２７】
１・・・・・マッピング部
２・・・・・フィルタ（ルートロールオフフィルタ）
３・・・・・乗算器
４・・・・・乗算器
５・・・・・Ｄ／Ａ変換器（Ｄ／Ａ）
６・・・・・Ｄ／Ａ変換器（Ｄ／Ａ）
７・・・・・乗算係数テーブル
８・・・・・制御部（ＣＯＮＴ）
９・・・・・メモリ（ＭＥＭＯＲＹ）
１０・・・・・Ｄ／Ａ変換器（Ｄ／Ａ）
１１・・・・・Ａ／Ｄ変換器（Ａ／Ｄ）
１２・・・・・加算器
１３・・・・・加算器
１４・・・・・直交変調器（ＭＯＤ）
１５・・・・・可変減衰器（ＡＴＴ）
１６・・・・・電力増幅器
１７・・・・・方向性結合器
１８・・・・・アンテナ
１９・・・・・周波数シンセサイザ（ＳＹＮ）
２０・・・・・移相器
２１・・・・・直交復調器（ＤＥＭＯＤ）
２２・・・・・可変減衰器（ＡＴＴ）
２３・・・・・電力検波部（ＤＥＴ）
２４・・・・・加算器
２５・・・・・検波値調整部（ＡＤＪ）
２６・・・・・乗算器
２７・・・・・傾き調整部（ＡＤＪ）
３０・・・・・ＤＳＰ
４０・・・・・ＢＢ
５０・・・・・ＤＳＰ
６０・・・・・ＢＢ
１００・・・・送信機
２００・・・・送信機
【図１】
2011077978.tif 000003
【図２】
2011077978.tif 000004
【図３】
2011077978.tif 000005
【図４】
2011077978.tif 000006
【図５】
2011077978.tif 000007